(57)【要約】【課題】  アーティストのオリジナルの楽曲を、複数の宣伝媒体（メディア）を通して効果的に宣伝し、かつ一般のファンがオリジナル曲を簡単に入手できるようにする。【解決手段】  まず、アーティスト３００とＣＤ製作販売会社２００、および一般のファン４００とをインターネットを通してまとめ、ＣＤ製作販売会社はオリジナル楽曲をホームページに掲載し、一般のファンがオリジナル曲をホームページで閲覧し、ＣＤを購入できるようにしておく。そして、さらに、ＣＤ製作販売会社は、有線放送会社６００を利用して、オリジナル楽曲を放送・宣伝する。また、ＣＤ製作販売会社は、カラオケ店９００を利用して、オリジナル楽曲を宣伝する。そして、有線放送またはカラオケ店でオリジナル楽曲を聴いた一般のファンが、ＣＤ製作販売会社のホームページを閲覧し、ＣＤを購入できるようにする。【選択図】  図１
2005332121.tif 000002
【特許請求の範囲】
【請求項１】
楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、
有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手段と、
前記有線放送会社から受領した宣伝対象となる楽曲のエントリ審査結果の情報を記録して管理するための審査結果情報管理手段と、
前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手段と、
前記有線放送会社に発送した記録媒体に関連する情報を記録して管理するための発送記録媒体情報管理手段と
を備えることを特徴とする楽曲販売支援システム。
【請求項２】
楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、
カラオケ会社のカラオケ店の端末における選曲メニューに、宣伝対象となる楽曲情報のエントリを要請するために、前記カラオケ会社のサーバにエントリ審査のリクエストを送信するリクエスト送信手段と、
前記カラオケ会社に対してリクエストしたエントリ審査に関連する情報を記録して管理するためのリクエスト情報管理手段と、
前記カラオケ会社におけるエントリ審査において、リクエストした楽曲が合格した場合に、前記情報公開手段を通して、カラオケ会社のサーバに宣伝対象となる楽曲情報を提供する楽曲情報提供手段と、
前記カラオケ会社のサーバに提供した楽曲情報に関連する情報を記録して管理するための楽曲情報管理手段と
を備えることを特徴とする楽曲販売支援システム。
【請求項３】
楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、
有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手段と、
前記有線放送会社から受領した宣伝対象となる楽曲のエントリ審査結果の情報を記録して管理するための審査結果情報管理手段と、
前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手段と、
前記有線放送会社に発送した記録媒体に関連する情報を記録して管理するための発送記録媒体情報管理手段と、
カラオケ会社のカラオケ店の端末における選曲メニューに、宣伝対象となる楽曲情報のエントリを要請するために、前記カラオケ会社のサーバにエントリ審査のリクエストを送信するリクエスト送信手段と、
前記カラオケ会社に対してリクエストしたエントリ審査に関連する情報を記録して管理するためのリクエスト情報管理手段と、
前記カラオケ会社におけるエントリ審査において、リクエストした楽曲が合格した場合に、前記情報公開手段を通して、カラオケ会社のサーバに宣伝対象となる楽曲情報を提供する楽曲情報提供手段と、
前記カラオケ会社のサーバに提供した楽曲情報に関連する情報を記録して管理するための楽曲情報管理手段と
を備えることを特徴とする楽曲販売支援システム。
【請求項４】
楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、
有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手順と、
前記有線放送会社から受領した宣伝対象となる楽曲のエントリ審査結果の情報を記録して管理するための審査結果情報管理手順と、
前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手順と、
前記有線放送会社に発送した記録媒体に関連する情報を記録して管理するための発送記録媒体情報管理手順と
を含むことを特徴とする楽曲販売支援方法。
【請求項５】
楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、
カラオケ会社のカラオケ店の端末における選曲メニューに、宣伝対象となる楽曲情報のエントリを要請するために、前記カラオケ会社のサーバにエントリ審査のリクエストを送信するリクエスト送信手順と、
前記カラオケ会社に対してリクエストしたエントリ審査に関連する情報を記録して管理するためのリクエスト情報管理手順と、
前記カラオケ会社におけるエントリ審査において、リクエストした楽曲が合格した場合に、前記情報公開手順を通して、カラオケ会社のサーバに宣伝対象となる楽曲情報を提供する楽曲情報提供手順と、
前記カラオケ会社のサーバに提供した楽曲情報に関連する情報を記録して管理するための楽曲情報管理手順と
を含むことを特徴とする楽曲販売支援方法。
【請求項６】
楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、
有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手順と、
前記有線放送会社から受領した宣伝対象となる楽曲のエントリ審査結果の情報を記録して管理するための審査結果情報管理手順と、
前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手順と、
前記有線放送会社に発送した記録媒体に関連する情報を記録して管理するための発送記録媒体情報管理手順と、
カラオケ会社のカラオケ店の端末における選曲メニューに、宣伝対象となる楽曲情報のエントリを要請するために、前記カラオケ会社のサーバにエントリ審査のリクエストを送信するリクエスト送信手順と、
前記カラオケ会社に対してリクエストしたエントリ審査に関連する情報を記録して管理するためのリクエスト情報管理手順と、
前記カラオケ会社におけるエントリ審査において、リクエストした楽曲が合格した場合に、前記情報公開手順を通して、カラオケ会社のサーバに宣伝対象となる楽曲情報を提供する楽曲情報提供手順と、
前記カラオケ会社のサーバに提供した楽曲情報に関連する情報を記録して管理するための楽曲情報管理手順と
を含むことを特徴とする楽曲販売支援方法。
【発明の詳細な説明】
【技術分野】
【０００１】
本発明は、創作されたオリジナル楽曲の宣伝・販売を支援するための、楽曲販売支援システムおよび楽曲販売支援方法に関し、更に詳しくは、アーティストからのオリジナル楽曲の申込を受けて、ＣＤ（Compact Disc：登録商標）製作販売会社のホームページに掲載し、インターネットを介して一般のファンに宣伝して、一般のファンがオリジナル楽曲をインターネットを通して簡単に購入できるようにすると共に、さらに有線放送会社、及びカラオケ会社と連携してオリジナル楽曲を効果的に宣伝することができる、楽曲販売支援システムおよび楽曲販売支援方法に関する。
【背景技術】
【０００２】
図７に、専属のアーティストのオリジナル楽曲が収録されたＣＤを販売するまでの手順の一例を示す。プロダクションに属する作詞・作曲家、歌手等のアーティストは、オリジナル楽曲を用意し（ステップＳ７１１）、プロダクションと所謂レコード会社等のＣＤ販売会社とオリジナル楽曲の企画を行い（ステップＳ７２１）、ＣＤ販売会社はオリジナル楽曲の原版を作成してＣＤ製造業者に大量のＣＤの製作を依頼する（ステップＳ７２２）。ＣＤ製造業者はオリジナル楽曲の原版を受け取ると（ステップＳ７３１）、この原版を用いてＣＤを大量生産する（ステップＳ７３２）。ＣＤ販売会社はこれと平行して一般のファンにマスメディアでオリジナル楽曲を宣伝し（ステップＳ７２３）、販売活動を行う。そして、ＣＤ製造業者からオリジナル楽曲が収録されたＣＤを受け取り（ステップＳ７２４）、これを流通ルートにのせて販売する（ステップＳ７２５）。
【０００３】
一般のファンはマスメディアで知ったオリジナル楽曲を、ＣＤ販売業者がＣＤ製造業者に依頼して流通ルートにのせた大量生産のＣＤを小売店等で購入する（ステップＳ７４１）。一般のファンはインターネットでオリジナル楽曲を配信する形で購入できることもあるが、この場合も企画宣伝された大量生産のＣＤを購入することと変わりはない。また、オリジナル楽曲の人気ランキングはオリジナル楽曲の販売量に応じてＣＤ販売業者が行い、アーティストや一般のファンが参加する形では行われない。
【０００４】
プロダクションに属さない作詞・作曲家や歌手等のアーティストでも、所謂レコード会社等のＣＤ販売会社にオリジナル楽曲の売込みを行い、ＣＤ販売会社とオリジナル楽曲の企画を行うことがある。この場合は宣伝や販売はＣＤ販売会社が行うので、アーティストがプロダクションに属しているか独立しているかの違いだけで、ＣＤの販売は図７に示すＣＤ販売会社による販売方法と同じになる。
【０００５】
図８に、独立系のアーティストのオリジナル楽曲が収録されたＣＤを販売するまでの手順の一例を示す。独立系のアーティストでオリジナル楽曲の原版を自己で作成し、この原版によりＣＤ製造業者にＣＤの大量生産を依頼し、宣伝も自己で行い、一般のファンにアーティストが直接販売する方法がある。図８を参照して具体的に説明すると、アーティストは、オリジナル楽曲を用意すると（ステップＳ８１１）、オリジナル楽曲の原版を作成し（ステップＳ８１２）、ＣＤ製造業者にＣＤの製作を依頼する。ＣＤ製造業者は、オリジナル楽曲の原版を受け取ると（ステップＳ８２１）、これを用いてＣＤを大量生産する（ステップＳ８２２）。アーティストは、生産されたＣＤを受け取り（ステップＳ８１３）、この販売をＣＤ販売会社に依頼し、流通ルートにのせる（ステップＳ８１４）。一般のファンはオリジナル楽曲が収録されたＣＤを小売店等で購入する（ステップＳ８３１）。この場合、アーティストは自己のホームページを開設し、オリジナル楽曲の宣伝や配信に利用していることが多い。
【０００６】
また、無名で資金力のない、あるいはホームページなどの開設手段が分からない個人やグループによる音楽のアーティストは、オリジナル楽曲を街頭等で一般のファンに直接聞かせたりして自己で宣伝するだけで、オリジナル楽曲の有効なＣＤ製作や音楽配信・販売方法はないのが実情である。この場合には、一般のファンはアーティストの演奏を聞いて、あるいは口こみで、たまたまオリジナル楽曲を知ることになる。
【特許文献１】特開２００２−２９７１３６号公報
【発明の開示】
【発明が解決しようとする課題】
【０００７】
ところで、上述した従来のオリジナル楽曲の配信やＣＤの製造・販売方法によれば、プロダクションに属するアーティストや独立系の有名なアーティストであれば、ＣＤ販売会社に依頼すれば、宣伝やＣＤの販売には関与しないでよいが、オリジナル楽曲の人気によっては、大量に製作したＣＤが売れ残るというリスクがある。
【０００８】
また、独立系のアーティストが自己でＣＤ製造をＣＤ製造会社に依頼した場合には、効果的な宣伝方法を見つけることが困難で、この場合にも大量のＣＤが売れ残るリスクがある。
【０００９】
また、無名で資金力のない、あるいはホームページなどの開設手段が分からない個人やグループによる音楽のアーティストは、オリジナル楽曲の有効な宣伝手段を持たないため、効果的な売り込みができない。一方、一般のファンにとっては、無名のアーティストのオリジナル楽曲の内容を知る機会が少なく、そのオリジナル楽曲が欲しくても購入する手段が少ない。
【００１０】
本発明は、上記課題に鑑みてなされたもので、アーティスト自身がオリジナルの楽曲を宣伝したりＣＤを製造することなく、オリジナル楽曲を種々の宣伝媒体（メディア）を通して効果的に宣伝することができ、また、一般のファンが種々の宣伝媒体（メディア）を通してオリジナル楽曲を試聴することができる機会を増大させ、また一般のファンがお気に入りのオリジナル楽曲のＣＤを簡単に購入することができる、楽曲販売支援システムおよび楽曲販売支援方法を提供することを目的とする。
【課題を解決するための手段】
【００１１】
上記目的を達成するために、本発明は以下の構成を有する。
即ち、請求項１に記載された発明は、楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手段と、前記有線放送会社から受領した宣伝対象となる楽曲のエントリ審査結果の情報を記録して管理するための審査結果情報管理手段と、前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手段と、前記有線放送会社に発送した記録媒体に関連する情報を記録して管理するための発送記録媒体情報管理手段とを備えることを特徴とする。
これにより、全国各地に張り巡らされた有線放送ネットワークを利用して、オリジナル楽曲の宣伝を効果的に行えると共に、一般のファンがオリジナル楽曲を試聴する機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社は、将来有望な最新のオリジナル楽曲を一般のファンに最速で提供することができ、顧客サービスを向上する手段として活用することができる。
【００１２】
また、請求項２に記載された発明は、楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、カラオケ会社のカラオケ店の端末における選曲メニューに、宣伝対象となる楽曲情報のエントリを要請するために、前記カラオケ会社のサーバにエントリ審査のリクエストを送信するリクエスト送信手段と、前記カラオケ会社に対してリクエストしたエントリ審査に関連する情報を記録して管理するためのリクエスト情報管理手段と、前記カラオケ会社におけるエントリ審査において、リクエストした楽曲が合格した場合に、前記情報公開手段を通して、カラオケ会社のサーバに宣伝対象となる楽曲情報を提供する楽曲情報提供手段と、前記カラオケ会社のサーバに提供した楽曲情報に関連する情報を記録して管理するための楽曲情報管理手段とを備えることを特徴とする。
これにより、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲のＣＤを、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、カラオケ店は、将来有望な最新のオリジナル楽曲を一般のファンに最速で提供することができ、顧客サービスを向上する手段として活用することができる。
【００１３】
また、請求項３に記載された発明は、楽曲情報を入力して該楽曲情報を所定のデータベースに登録する登録手段と、前記データベースに登録された楽曲情報の一部を所定のネットワーク上で公開する情報公開手段と、前記ネットワーク上で公開された楽曲情報の注文を受け付ける受注手段と、前記受注手段で受注された楽曲情報を、発注者に発送すべき商品に加工する加工手段とを備えた楽曲販売支援システムにおいて、有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手段と、前記有線放送会社から受領した宣伝対象となる楽曲のエントリ審査結果の情報を記録して管理するための審査結果情報管理手段と、前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手段と、前記有線放送会社に発送した記録媒体に関連する情報を記録して管理するための発送記録媒体情報管理手段と、カラオケ会社のカラオケ店の端末における選曲メニューに、宣伝対象となる楽曲情報のエントリを要請するために、前記カラオケ会社のサーバにエントリ審査のリクエストを送信するリクエスト送信手段と、前記カラオケ会社に対してリクエストしたエントリ審査に関連する情報を記録して管理するためのリクエスト情報管理手段と、前記カラオケ会社におけるエントリ審査において、リクエストした楽曲が合格した場合に、前記情報公開手段を通して、カラオケ会社のサーバに宣伝対象となる楽曲情報を提供する楽曲情報提供手段と、前記カラオケ会社のサーバに提供した楽曲情報に関連する情報を記録して管理するための楽曲情報管理手段とを備えることを特徴とする。
これにより、全国各地に張り巡らされた有線放送ネットワークを利用して、オリジナル楽曲の宣伝を効果的に行えると共に、一般のファンがオリジナル楽曲を試聴する機会を増大させることができる。また、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社およびカラオケ店は、将来有望な最新のオリジナル楽曲を一般のファンに最速で提供することができ、顧客サービスを向上する手段として活用することができる。
【００１４】
また、請求項４に記載された波発明は、楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、有線放送会社の有線放送ネットワーク上で配信される楽曲情報中に宣伝対象となる楽曲情報をエントリするために、前記有線放送会社に対して行ったエントリ審査の要請に関連する情報を記録して管理するための審査要請情報管理手順と、前記有線放送会社から受領した宣伝対象となる楽曲のエントリ審査結果の情報を記録して管理するための審査結果情報管理手順と、前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手順と、前記有線放送会社に発送した記録媒体に関連する情報を記録して管理するための発送記録媒体情報管理手順とを含むことを特徴とする。
これにより、全国各地に張り巡らされた有線放送ネットワークを利用して、オリジナル楽曲の宣伝を効果的に行えると共に、一般のファンがオリジナル楽曲を試聴する機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社は、将来有望な最新のオリジナル楽曲を一般のファンに最速で提供することができ、顧客サービスを向上する手段として活用することができる。
【００１５】
また、請求項５に記載された発明は、楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、カラオケ会社のカラオケ店の端末における選曲メニューに、宣伝対象となる楽曲情報のエントリを要請するために、前記カラオケ会社のサーバにエントリ審査のリクエストを送信するリクエスト送信手順と、前記カラオケ会社に対してリクエストしたエントリ審査に関連する情報を記録して管理するためのリクエスト情報管理手順と、前記カラオケ会社におけるエントリ審査において、リクエストした楽曲が合格した場合に、前記情報公開手順を通して、カラオケ会社のサーバに宣伝対象となる楽曲情報を提供する楽曲情報提供手順と、前記カラオケ会社のサーバに提供した楽曲情報に関連する情報を記録して管理するための楽曲情報管理手順とを含むことを特徴とする。
これにより、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲のＣＤを、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、カラオケ店は、将来有望な最新のオリジナル楽曲を一般のファンに最速で提供することができ、顧客サービスを向上する手段として活用することができる。
【００１６】
また、請求項６に記載された発明は、楽曲情報を入力して該楽曲情報を所定のデータベースに登録する登録手順と、前記データベースに登録された楽曲情報の一部を所定のネットワーク上で公開する情報公開手順と、前記ネットワーク上で公開された楽曲情報の注文を受け付ける受注手順と、前記受注手順で受注された楽曲情報を、発注者に発送すべき商品に加工する加工手順とを含む楽曲販売支援方法において、有線放送会社の有線放送ネットワーク上で配信される楽曲情報中に宣伝対象となる楽曲情報をエントリするために、前記カラオケ会社に対して行ったエントリ審査の要請に関連する情報を記録して管理するための審査要請情報管理手順と、前記有線放送会社から受領した宣伝対象となる楽曲のエントリ審査結果の情報を記録して管理するための審査結果情報管理手順と、前記有線放送会社から宣伝対象となる楽曲のエントリ審査の合格通知を受けた場合に、当該楽曲情報を記録した記録媒体の所要の枚数を、前記有線放送会社に向けて発送することを指示する情報を生成するための記録媒体発送指示手順と、前記有線放送会社に発送した記録媒体に関連する情報を記録して管理するための発送記録媒体情報管理手順と、カラオケ会社のカラオケ店の端末における選曲メニューに、宣伝対象となる楽曲情報のエントリを要請するために、前記カラオケ会社のサーバにエントリ審査のリクエストを送信するリクエスト送信手順と、前記カラオケ会社に対してリクエストしたエントリ審査に関連する情報を記録して管理するためのリクエスト情報管理手順と、前記カラオケ会社におけるエントリ審査において、リクエストした楽曲が合格した場合に、前記情報公開手順を通して、カラオケ会社のサーバに宣伝対象となる楽曲情報を提供する楽曲情報提供手順と、前記カラオケ会社のサーバに提供した楽曲情報に関連する情報を記録して管理するための楽曲情報管理手順とを含むことを特徴とする。
これにより、全国各地に張り巡らされた有線放送ネットワークを利用して、オリジナル楽曲の宣伝を効果的に行えると共に、一般のファンがオリジナル楽曲を試聴する機会を増大させることができる。また、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社およびカラオケ店は、将来有望な最新のオリジナル楽曲を一般のファンに最速で提供することができ、顧客サービスを向上する手段として活用することができる。
【発明の効果】
【００１７】
本発明の請求項１に記載の楽曲販売支援システムおよび請求項４に記載の楽曲販売支援方法においては、まず、アーティストとＣＤ製作販売会社、および一般のファンとをインターネットを通してまとめ、ＣＤ製作販売会社がオリジナル楽曲をホームページに掲載することにより宣伝し、一般のファンがオリジナル楽曲をインターネットのホームページで閲覧し、オリジナル楽曲のＣＤを購入することを支援することを基本とする。
そして、その上にさらに、ＣＤ製作販売会社は、有線放送会社の有線放送ネットワークを利用して、オリジナル楽曲を放送・宣伝し、有線放送を聞いた一般のファンが、ＣＤ製作販売会社のホームページを閲覧し、このオリジナル楽曲のＣＤを購入できるようにする。
【００１８】
これにより、全国各地に張り巡らされた有線放送ネットワークを利用して、オリジナル楽曲の宣伝を効果的に行えると共に、一般のファンがオリジナル楽曲を試聴する機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社は、将来有望な最新のオリジナル楽曲を一般のファンに最速で提供することができ、顧客サービスを向上する手段として活用することができる。
【００１９】
また、本発明の請求項２に記載の楽曲販売支援システムおよび請求項５に記載の楽曲販売支援方法においては、まず、アーティストとＣＤ製作販売会社、および一般のファンとをインターネットを通してまとめ、ＣＤ製作販売会社はオリジナル楽曲をホームページに掲載することにより宣伝し、一般のファンがオリジナル楽曲をインターネットのホームページで閲覧し、オリジナル楽曲のＣＤを購入することを支援することを基本とする。
そして、その上にさらに、ＣＤ製作販売会社は、カラオケ会社の経営するカラオケ店を利用して、オリジナル楽曲を聴いて歌えるようにし、オリジナル楽曲を宣伝する。そして、カラオケ店で聴いて歌った一般のファンが、ＣＤ製作販売会社のホームページを閲覧し、このオリジナル楽曲のＣＤを購入できるようにする。
【００２０】
これにより、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲のＣＤを、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、カラオケ店は、将来有望な最新のオリジナル楽曲を一般のファンに最速で提供することができ、顧客サービスを向上する手段として活用することができる。
【００２１】
また、本発明の請求項３に記載の楽曲販売支援システムおよび請求項６に記載の楽曲販売支援方法においては、まず、アーティストとＣＤ製作販売会社、および一般のファンとをインターネットを通してまとめ、ＣＤ製作販売会社はオリジナル楽曲をホームページに掲載することにより宣伝し、一般のファンがオリジナル曲をインターネットのホームページで閲覧し、オリジナル楽曲のＣＤを購入することを支援することを基本とする。
そして、その上にさらに、ＣＤ製作販売会社は、有線放送会社の有線放送ネットワークを利用して、オリジナル楽曲を放送・宣伝し、有線放送を聞いた一般のファンが、ＣＤ製作販売会社のホームページを閲覧し、このオリジナル楽曲のＣＤを購入できるようにする。
また、さらにその上に、ＣＤ製作販売会社は、カラオケ会社の経営するカラオケ店を利用して、オリジナル楽曲を聴いて歌えるようにし、オリジナル楽曲を宣伝する。そして、カラオケ店で聴いて歌った一般のファンが、ＣＤ製作販売会社のホームページを閲覧し、このオリジナル楽曲が録音されたＣＤを購入できるようにする。
【００２２】
これにより、全国各地に張り巡らされた有線放送ネットワークを利用して、オリジナル楽曲の宣伝を効果的に行えると共に、一般のファンがオリジナル楽曲を試聴する機会を増大させることができる。また、全国津々浦々に存在するカラオケ店を利用して、オリジナル楽曲の宣伝を効果的に行えると共に、一般のファンがオリジナル楽曲を聴いて歌える機会を増大させることができる。また、一般のファンは、お気に入りのオリジナル楽曲を、ＣＤ製作販売会社のホームページを通して簡単に購入できる。
このため、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
また、ＣＤ製作販売会社はＣＤの売り上げを伸ばすことができる。また、有線放送会社およびカラオケ店は、将来有望な最新のオリジナル楽曲を一般のファンに最速で提供することができ、顧客サービスを向上する手段として活用することができる。
【発明を実施するための最良の形態】
【００２３】
以下、本発明の実施形態に係る楽曲販売支援システムの最良の実施の形態について説明する。
【００２４】
（本発明の楽曲販売支援システムの概要の説明）
本発明の楽曲販売支援システムは、著作権の存在しないオリジナル楽曲、または著作権使用許諾書を得た曲の演奏メディア等（以下、楽曲と称す）を発表する場を提供すると共に、その楽曲の宣伝、売買を効果的に支援するシステムである。
【００２５】
図１は、本発明の楽曲販売支援システムの概要について説明するための図である。本発明の楽曲販売支援システムにおいては、まず、アーティスト３００（例えば、歌手志望などのアーティスト）が、自ら創作したオリジナル楽曲などをＣＤ製作販売会社２００に持ち込む（矢付線ａ）。
【００２６】
ＣＤ製作販売会社２００は、アーティスト３００から受領したオリジナル楽曲をインターネット上にＷｅｂ配信する。一般のファン（一般の購入者）４００はＣＤ製作販売会社２００が開設するホームページを閲覧しながらオリジナル楽曲を試聴し、ホームぺ−ジ上でお気に入りのオリジナル楽曲のＣＤを購入することができる（矢付線ｂ）。
【００２７】
また、ＣＤ製作販売会社２００は、オリジナル楽曲を有線放送会社６００にエントリする（矢付線ｃ）。有線放送会社６００は、自社の有線放送ネットワークを通して、会員である店舗（飲食店や、遊技場などの有線放送契約した店舗）などに配信し（矢付線ｄ）、リクエストを受け付ける。一般のファンは店舗などで有線放送を聞いて、聴取したオリジナル楽曲が気に入った場合は、リクエストなどを行う（矢付線ｅ）。また、一般のファン４００は、ＣＤ製作販売会社２００が開設するホームページを通して、お気に入りのオリジナル楽曲のＣＤを購入することができる。
【００２８】
また、ＣＤ製作販売会社２００は、オリジナル楽曲をカラオケ会社に７００にエントリする（ｆ）。カラオケ会社８００は、オリジナル楽曲を系列のカラオケ店９００に配信する（矢付線ｇ）。一般のファンはカラオケ店９００でカラオケメニューからオリジナル楽曲を聞いて、オリジナル楽曲が気に入った場合は自ら歌い（矢付線ｈ）、また、ＣＤ製作販売会社２００が開設するホームページを通して、お気に入りのオリジナル楽曲のＣＤを購入することができる。
【００２９】
このように、本発明の楽曲販売支援システムは、ＣＤ製作販売会社２００が、アーティスト３００から受領したオリジナル楽曲をインターネットにＷｅｂ配信し、一般のファンからのＣＤ購入申し込みを受け付けるようにし、さらに、オリジナル楽曲を有線放送会社およびカラオケ会社にエントリし、オリジナル楽曲の宣伝と販売を効果的に行うようにしたシステムである。
【００３０】
これにより、無名で資金力のない個人、またはグループによる音楽のアーティストは、オリジナル楽曲の宣伝を自己で行うことなく、オリジナル楽曲のファンを増やし、オリジナル楽曲の売上に応じたロイヤリティを得ることができる。
【００３１】
また、ＣＤ製作販売会社はＣＤの売り上げを伸ばすことができる。また、有線放送会社およびカラオケ店は、将来有望な最新のオリジナル楽曲を一般のファンに最速で提供することができ、顧客サービスを向上する手段として活用することができる。
【００３２】
（本発明の楽曲販売支援システムの構成例の説明）
次に、本発明の楽曲販売支援システムのシステム構成例について説明する。
【００３３】
図２は、本発明による楽曲販売支援システムのシステム構成例について説明するための図であり、本発明に直接関係する部分について示したものである。
【００３４】
図２において、ＣＤ製作販売会社２００にはＣＤ製作販売会社サーバ２１０が備えられ、アーティスト３００のアーティスト端末３１０と、一般のファン４００の一般ファン端末４１０とインターネット１００を介して通信接続されている。なお、アーティスト端末３１０、一般ファン端末４１０はインターネット接続業者などの中継端末を介してインターネット１００に接続されているが、同図では省略してある。
【００３５】
また、ＣＤ製作販売会社２００は、アーティストによって創作されたオリジナル楽曲の楽曲データなどを格納するためのデータベース２２０を備えると共に、このＣＤ製作販売会社２００には、ＣＤドライブ２３０が接続されている。このＣＤドライブ２３０は、記録媒体であるＣＤ２４０に楽曲データを書き込むためのものであり、例えばＣＤ−Ｒ型、ＣＤ−ＲＷ型、ＣＤ−ＲＯＭ型が用いられ、これによりオリジナル楽曲をＣＤ２４０に収録するようになっている。また、ＣＤ製作販売会社サーバ２１０には、オリジナル楽曲をインターネット上で公開するためのホームページが開設されている。
【００３６】
また、有線放送会社６００には、有線放送会社サーバ６１０が設けられ、有線放送会社サーバ６１０内には、ＣＤ製作販売会社２００からエントリされたオリジナル楽曲であるＣＤ２４０の楽曲データを格納するためのデータベース６２０が備えられる。また、有線放送会社サーバ６１０は、有線放送ネットワーク１１０を介して、店舗（飲食店など）７００などに設置された有線放送端末７１０と接続されており、有線放送会社サーバ６１０から有線放送端末７１０にオリジナル楽曲を配信すると共に、オリジナル楽曲のリクエストを受け付ける。有線放送会社は独立に有線放送ネットワークを保有して、系列の有線放送端末にオリジナル楽曲を配信している。図２では、ある１つの有線放送会社と有線放送ネットワークの例を示し、他の有線放送会社の有線放送ネットワークの例は省略してある。
【００３７】
また、カラオケ会社８００には、カラオケ会社サーバ８１０が設けられ、インターネット１００に接続されている。また、カラオケ会社サーバ８１０内には、ＣＤ製作販売会社２００からエントリされたオリジナル楽曲の楽曲データを格納するためのデータベース８２０が備えられる。また、カラオケ会社サーバ８１０は系列のカラオケ店９００のカラオケ店端末９１０と通常通信接続されており、データベース８２０に格納されたオリジナル楽曲のデータを配下のカラオケ店端末９１０に配信する。カラオケ会社とカラオケ店が通信接続されていない場合には、オリジナル楽曲はカラオケ会社からカラオケ店にＣＤ等の媒体で配信される。
【００３８】
また、図３は、一般のファンがＣＤ製作販売会社サーバを利用する手順について説明するための図である。以下、図２と図３を参照して、その利用手順について説明する。
【００３９】
図３において、１はアーティストの、２はＣＤ製作販売会社の、３は一般のファンのそれぞれの行動内容を表す。まず、アーティストは売り込みたいオリジナル楽曲を用意し（ステップＳ１１）、申込書によりオリジナル楽曲の販売依頼申し込みを行うと共に、このオリジナル楽曲をＣＤ３２０の形にし、宅配便などの物流経路５０１を介してＣＤ製作販売会社２００に送付し（ステップＳ１３）、決められた様式で申し込む。
【００４０】
ＣＤ製作販売会社２００では、アーティストからの申込を受け付け、楽曲の取り扱い（公開、販売、ロイヤリティ等の事項）に関する契約を結ぶ（ステップＳ２１）。ＣＤ製作販売会社サーバ２１０は、アーティストから送付されたＣＤ３２０に収録されたオリジナル楽曲のデータ（楽音情報）を入力し、これをデータベース２２０に登録する。また、ＣＤ製作販売会社サーバ２１０は、オリジナル楽曲の試聴・販売ができ、また人気のランキングが分かるようにしたホームページを作成し（ステップＳ２２）、データベース２２０に登録されたオリジナル楽曲の一部をインターネット１００上で公開する。
【００４１】
一般のファンはＣＤ製作販売会社サーバ２１０に開設されたホームページを閲覧しながらオリジナル楽曲を試聴し（ステップＳ３１）、ホームぺ−ジ上でお気に入りのオリジナル楽曲に投票する（ステップＳ３２）。ＣＤ製作販売会社サーバ２１０は、一般のファンによる投票を受け付け、この投票結果に基づき人気ランキングを決定する。そして、この投票結果を反映させてオリジナル楽曲の人気ランキングをホームページ上で公開する。
【００４２】
アーティストは、ＣＤ製作販売会社サーバ２１０に開設されたホームページを閲覧しながら自己のオリジナル楽曲の人気のランキングをチェックできる（ステップＳ１４）。一般のファンは好みのオリジナル楽曲を購入したければ、インターネットで銀行振込か代引きの方法で購入手続を行う（ステップＳ３３）。ＣＤ製作販売会社のサーバ２１０は、手続に不備がなければ、この購入手続を受け付け（ステップＳ２３）、インターネット１００上で公開されたオリジナル楽曲の注文が成立する。
【００４３】
ここで、注文が成立すると、一般のファンがインターネットによる配信を希望する場合には、ＣＤ製作販売会社サーバ２１０は、該当するオリジナル楽曲のデータをデータベース２２０から読み出し、これを商品として所定のデータ形式を有する楽曲データに加工し、インターネットによる通信経路５０２を介して発注者宛に配信（発送）する。
【００４４】
これに対し、ＣＤ購入の場合は、ＣＤドライブ２３０によりオリジナル楽曲が収録されたＣＤ２４０を製作し（ステップＳ２４）、例えば宅配便などの物流経路５０３を介して一般のファン（発注者）に発送する（ステップＳ２５）。ＣＤ２４０は、上述のステップＳ２４での作成以前にジャケットも含めて試作されていて、オリジナル楽曲だけでなくジャケットを含めた完成された商品として販売される。
【００４５】
一般のファンは、ＣＤ製作販売会社２００から発送されてきたＣＤ２４０を受け取る（ステップＳ３４）。ＣＤ製作販売会社は一般のファン（購入者）から回収した代金の一部をロイヤリティとしてアーティストに支払う（ステップＳ２６）。アーティストは、これを振込みあるいは現金の形で受け取る（ステップＳ１５）。
【００４６】
以上により、アーティストのオリジナル楽曲がＣＤ製作販売会社サーバ２１０のＷｅｂページ（ホームページ）により一般に公開され、一般のファン（購入者）との間で売買が成立し、オリジナル楽曲の販売が支援されることになる。
【００４７】
また、図４は、オリジナル楽曲を有線放送会社にエントリして宣伝する手順について説明するための図である。以下、図２と図４を参照して、その利用手順について説明する。
【００４８】
図４において、１１はＣＤ製作販売会社の、１２は有線放送会社の、１３は一般のファンのそれぞれの行動内容を表す。まず、ＣＤ製作販売会社２００は売り込みたい宣伝対象となるオリジナル楽曲が録音されたＣＤ２４０を有線放送会社６００に送る（ステップＳ１０１）。
【００４９】
有線放送会社６００では、ＣＤ製作販売会社２００からオリジナル楽曲が録音されたＣＤ２４０を受領し（ステップＳ１１１）、ＣＤ２４０に録音されたオリジナル楽曲を試聴し、自社の有線放送ネットワークに配信するかどかを審査する（ステップＳ１１２）。審査の結果、不合格と判断した場合は、不合格通知をＣＤ製作販売会社２００に送る。ＣＤ製作販売会社２００は不合格通知を受領する（ステップＳ１０２）。
【００５０】
有線放送会社６００では、オリジナル楽曲を聞いて、合格と判断した場合は、審査合格通知をＣＤ製作販売会社２００に送る（ステップＳ１１３）。ＣＤ製作販売会社２００では、審査合格通知を受領する（ステップＳ１０３）。審査合格通知を受領したＣＤ製作販売会社２００では、有線放送会社６００が必要とする枚数のオリジナル楽曲が録音されたＣＤ２４０を有線放送会社６００に送る（ステップＳ１０４）。これは、同じ系列の有線放送会社でも有線放送会社は各地に散在しているため、有線放送会社は、この散在している枚数のＣＤ２４０を必要としているためである。
【００５１】
有線放送会社６００では、有線放送ネットワーク１１０により、オリジナル楽曲を放送する（ステップＳ１１４）。また、一般のファン４００からのリクエストを受け付ける（ステップＳ１２１）。
そして、有線放送会社６００は、全国の系列または関係のある有線放送会社６００にＣＤを送付し（またはオリジナル楽曲のデータを送信し）、オリジナル楽曲のデータが配信され（ステップＳ１１５）、一般のファンは有線放送によりオリジナル楽曲を聴取できるようになる（ステップＳ１２２）。
【００５２】
このようにして、オリジナル楽曲が有線放送会社６００を通して全国に広まり、一般のファン４００が聴取できるようになる。また、一般のファン４００は、お気に入りのオリジナル楽曲があれば、ＣＤ製作販売会社２００のＷｅｂページ（ホームページ）を通して、オリジナル楽曲のＣＤを購入することができようになる。
【００５３】
また、図５は、オリジナル楽曲をカラオケ会社にエントリして宣伝する手順について説明するための図である。以下、図２と図５を参照して、その利用手順について説明する。
【００５４】
図５において、２１はＣＤ製作販売会社の、２２はカラオケ会社の、２３は一般のファンのそれぞれの行動内容を表す。まず、ＣＤ製作販売会社２００は、カラオケ会社のＷｅｂページＨＰ：（ホームページ）にアクセスし、売り込みたい宣伝対象となるオリジナル楽曲の関する情報を送信して、該オリジナル楽曲のエントリ審査をリクエストする(ステップＳ３０１)。
【００５５】
カラオケ会社８００では、ＣＤ製作販売会社２００からのリクエストを受け付け（ステップＳ３１１）、ＣＤ製作販売会社２００から審査をリクエストされたオリジナル楽曲を、ＣＤ製作販売会社２００のＷｅｂページＨＰ：（ホームページ）から探して、オリジナル楽曲のデータを取得する（ステップＳ３１２）。また、カラオケ会社８００では、取得したオリジナル楽曲を試聴し、カラオケ用の楽曲を作成するかどうかを審査する（ステップＳ３１３）。
【００５６】
審査の結果が合格の場合は、オリジナル楽曲のカラオケ用の楽曲データを作成する（ステップＳ３１４）。また、作成したカラオケ用の楽曲データを全国の系列のカラオケ店９００に配信する（ステップＳ３１５）。これにより、一般のファン４００は、カラオケ店９００で、オリジナル楽曲をカラオケで歌うことができるようになる（ステップＳ３２１）。
【００５７】
このようにして、オリジナル楽曲がカラオケ店９００を通して全国に広まり、一般のファンはオリジナル楽曲をカラオケ店９００で利用できるようになる。また、一般のファンは、お気に入りのオリジナル楽曲があれば、ＣＤ製作販売会社２００のＷｅｂページ（ホームページ）を通して、オリジナル楽曲のＣＤを購入することができる。
【００５８】
また、図６は、ＣＤ製作販売会社のサーバの構成例を示す図である。以下、図２と図６を参照して、ＣＤ製作販売会社のサーバについて説明する。
図６において、２１１はＣＤ製作販売会社サーバ２１０の全体を統括制御する制御部、２１２はインターネット１００とＣＤ製作販売会社サーバ２１０を接続する通信用インタフェース、２５０は処理プログラム部、２１０はデータベースを示している。
【００５９】
また、処理プログラム部２５０には、以下の処理部が含まれている。
データベース登録処理部（登録手段）２５１は、オリジナル楽曲の楽曲情報を入力して該楽曲情報をデータベース２２０に登録する登録ための処理部である。
情報公開処理部（情報公開手段）２５２は、データベース２２０に登録された楽曲情報をインターネット１００上で公開するための処理部である。
受注処理部（受注手段）２５３は、インターネット１００上で公開されたオリジナル楽曲について、一般のファン４００からの注文を受け付けるための処理部である。
加工処理部（加工手段）２５４は、受注処理部２５３で受注されたオリジナル楽曲を、発注者に発送すべきＣＤに加工するための処理部である。
発送処理部２５５は、加工処理部２５４により加工されたオリジナル楽曲のＣＤを、発注者宛に発送するための処理部である。
ランキング付与処理部２５６は、インターネット１００上に公開された楽曲情報に対して人気ランンキングを決定し、該人気ランキングを情報公開処理部２５２により公開するための処理部である。
【００６０】
審査要請情報管理処理部（審査要請情報管理手段）２５７は、有線放送会社６００の有線放送ネットワーク１１０を通して配信される楽曲中に、宣伝対象となるオリジナル楽曲をエントリするために、有線放送会社６００に対して審査要請した情報を記録して管理するための処理部である。
審査結果情報管理処理部（審査結果情報管理手段）２５８は、有線放送会社６００から受領したエントリ審査結果の情報を記録して管理するための処理部である。
記録媒体発送指示処理部（記録媒体発送指示手段）２５９は、有線放送会社６００からオリジナル楽曲のエントリ審査の合格通知を受けた場合に、当該オリジナル楽曲を記録した記録媒体（オリジナル楽曲のＣＤなど）の所要の枚数を、有線放送会社６００に向けて発送することを指示する情報を生成するための処理部である
発送記録媒体情報管理処理部（発送記録媒体情報管理手段）２６０は、有線放送会社６００に発送した記録媒体（オリジナル楽曲のＣＤなど）に関する情報を記録して管理するための処理部である。
【００６１】
リクエスト送信処理部（リクエスト送信手段）２６１は、カラオケ会社８００のカラオケ店の端末９１０における選曲メニューに、宣伝対象となるオリジナル楽曲のエントリを要請するために、カラオケ会社のサーバ８１０にエントリ審査のリクエストを送信するための処理部である。
リクエスト情報管理処理部（リクエスト情報管理手段）２６２は、カラオケ会社８００に対してリクエストしたエントリ審査に関連する情報を記録して管理するための処理部である。
楽曲情報提供処理部（楽曲情報提供手段）２６３は、カラオケ会社８００におけるエントリ審査において、リクエストした楽曲が合格した場合に、情報公開処理部２５２を通して、カラオケ会社のサーバ８１０に楽曲情報を提供するための処理部である。
提供楽曲情報管理処理部（提供楽曲情報管理手段）２６４は、カラオケ会社のサーバ８１０に提供したオリジナル楽曲に関連する情報を記録して管理するための処理部である。
【００６２】
また、データベース２２０には、以下に示す情報が記録されている。
楽曲情報２２１は、アーティスト３００から受領したオリジナル楽曲の情報及びアーティスト３００に関する個人情報などである。
受注情報２２２は、インターネット１００上に公開したオリジナル楽曲についての、一般のファン（一般の購入者）４００からの受注情報である。
発送情報２２３は、一般のファン（一般の購入者）４００に発送した、オリジナル楽曲のＣＤに関する情報である。例えば、オリジナル楽曲の種類、発注者、発送先の情報などである。
ランキング情報２２４は、インターネット１００上で公開したオリジナル楽曲に対して、一般のファンによる投票を受け付け、この投票結果に基づき決定した人気ランキングの情報である。
ロイヤリティ情報２２５は、オリジナル楽曲の売上に応じたロイヤリティに関する情報である。
審査関連情報２２６は、有線放送ネットワーク１１０を通して配信される楽曲情報中に、宣伝対象となるオリジナル楽曲をエントリするために、有線放送会社６００に対して行ったエントリ審査の要請に関連する情報や、その審査結果の情報などを記録したものである。
発送記録媒体関連情報２２７は、有線放送会社６００に対して発送したオリジナル楽曲のＣＤ２４０に関連する情報を記録したものである。例えば、オリジナル楽曲の種類、発送したＣＤ２４０の枚数、発送先の情報などである。
リクエスト関連情報２２８は、カラオケ店の端末９１０における選曲メニューに、宣伝対象となるオリジナル楽曲のエントリを要請するために、カラオケ会社のサーバ８１０に送信したリクエストに関連する情報を記録したものである。
提供楽曲関連情報２２９は、カラオケ会社８００におけるエントリ審査において、リクエストしたオリジナル楽曲が合格した場合に、情報公開処理部２５２を通して、カラオケ会社のサーバ８１０に提供したオリジナル楽曲に関連する情報を記録したものである。
【００６３】
なお、上述した処理プログラム部２５０は専用のハードウェアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このＣＤ製作販売会社サーバ２１０には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００６４】
また、図６における処理プログラム部２５０の機能を実現するためのプログラムをコンピュータ読み取り可能な記録媒体に記録して、この記録媒体に記録されたプログラムをコンピュータシステムに読み込ませ、実行することにより本発明の楽曲販売支援システムに必要な処理を行ってもよい。なお、ここでいう「コンピュータシステム」とは、ＯＳや周辺機器等のハードウェアを含むものとする。
【００６５】
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００６６】
以上、本発明の実施の形態について説明したが、本発明の楽曲販売支援システムは、上述の図示例にのみ限定されるものではなく、本発明の要旨を逸脱しない範囲内において種々変更を加え得ることは勿論である。
【産業上の利用可能性】
【００６７】
アーティスト自身がオリジナルの楽曲を宣伝したりＣＤを製造することなく、オリジナル楽曲を種々の宣伝媒体（メディア）を通して効果的に宣伝することができ、また、一般のファンが種々の宣伝媒体（メディア）を通してオリジナル楽曲を試聴することができる機会を増大させ、また一般のファンがお気に入りのオリジナル楽曲のＣＤを簡単に購入することができる効果を奏するので、本発明は、楽曲販売支援システムおよび楽曲販売支援方法などに有用である。
【図面の簡単な説明】
【００６８】
【図１】本発明の楽曲販売支援システムの概要について説明するための図である。
【図２】本発明による楽曲販売支援システムのシステム構成例について説明するための図である。
【図３】一般のファンがＣＤ製作販売会社サーバを利用する手順について説明するための図である。
【図４】オリジナル楽曲を有線放送会社にエントリして宣伝する手順について説明するための図である。
【図５】オリジナル楽曲をカラオケ会社にエントリして宣伝する手順について説明するための図である。
【図６】ＣＤ製作販売会社のサーバの構成例を示す図である。
【図７】従来技術に係る販売手順の一例を説明するための図である。
【図８】従来技術に係る販売手順の他の例を説明するための図である。
【符号の説明】
【００６９】
１００  インターネット、  １１０  有線放送ネットワーク
２００  ＣＤ製作販売会社、  ２１０  ＣＤ製作販売会社サーバ
２２０  ＣＤ製作販売会社のデータベース、  ２３０  ＣＤドライブ
２４０、３２０  ＣＤ、  ３００  アーティスト、  ３１０  アーティスト端末
４００  一般のファン、  ４１０  一般ファン端末、  ５０１  物流経路
５０２  通信経路、  ５０３  物流経路、  ６００  有線放送会社
６１０  有線放送会社サーバ、  ６２０  データベース
７００  店舗（有線放送端末を備えた店舗）、  ７１０  有線放送端末
８００  カラオケ会社、  ８１０  カラオケ会社サーバ
８２０  データベース、  ９００  カラオケ店、  ９１０  カラオケ店端末
【図１】
2005332121.tif 000003
【図２】
2005332121.tif 000004
【図３】
2005332121.tif 000005
【図４】
2005332121.tif 000006
【図５】
2005332121.tif 000007
【図６】
2005332121.tif 000008
【図７】
2005332121.tif 000009
【図８】
2005332121.tif 000010